【手続補正書】
【提出日】平成29年11月6日(2017.11.6)
【手続補正１】
【補正対象書類名】特許請求の範囲
【補正対象項目名】全文
【補正方法】変更
【補正の内容】
【特許請求の範囲】
【請求項１】
鋼材を鋳造するための浸漬ノズル（１）であって、
前記浸漬ノズル（１）は、
ノズルの第１端に配置され且つ注湯口オリフィス（１８）を備える注湯口部（１Ａ）と、
外壁により規定され且つ前記注湯口部（１Ａ）から第１縦方向軸線（Ｘ１）に沿って延びる、又は、前記注湯口部（１Ａ）に隣接する長尺部（１Ｂ）、及び、
前記第１端の反対側にある前記ノズルの第２端に隣接して配置され且つ前記第２端を含んでおり、外周壁により規定され且つ前記外周壁上に開口する第１出湯口前面開口（３５）を備える前記出湯口部（１Ｃ）と、
前記第１縦方向軸線（Ｘ１）に対して平行に延び、前記注湯口オリフィス（１８）において開口し且つ前記ノズルの前記長尺部（１Ｂ）に沿って延びるボア（５０）であって、前記ボア（５０）を接合する前面開口入口（３５ｉ）から前記ノズルの前記出湯口部の前記外周壁において開口する前面開口出口（３５ｏ）へ前記第１縦方向軸線（Ｘ１）を横切る前面開口方向（Ｙ１）に沿って延びる少なくとも前記第１前面開口（３５）を介して、前記ノズルの前記出湯口部（１Ｃ）の少なくとも一部から雰囲気に開放されるボア（５０）と、を備え、
前記前面開口入口（３５ｉ）を通る前記第１縦方向軸線（Ｘ１）に対して垂直な平面に沿った前記ノズル出湯口部（１Ｃ）の平面切り口は、
ボア外周部（５０Ｐ）及び前記ボア外周部により規定される領域のボア重心（５０ｘ）により規定される前記ボア（５０）の輪郭と、
壁外周部（１Ｐ）及び前記壁外周部により規定される領域の壁重心（１ｘ）により規定される前記ノズルの前記出湯口部の前記外周壁の輪郭と、
前記ボア重心（５０ｘ）を通過し且つ前記切り口の平面上への前記前面開口方向（Ｙ１）の正射影に対して平行な方向に沿って延びる第１横方向軸線（Ｙ）と、を含んでおり、
前記長尺部（１Ｂ）及び前記出湯口部（１Ｃ）の両方の周壁は、前記ノズルの略全長にわたって前記縦方向軸線（Ｘ１）を中心とし、且つ、少なくとも前記第１前面開口（３５）の高さにおいて、前記ボア（５０）が前記第１前面開口の反対方向における前記第１縦方向軸線（Ｘ１）に対して平行で且つオフセットした位置にある第２縦方向軸線（Ｘ２）に沿って延びる幾何学的構成を変化させ、
前記ノズルは、前記縦方向軸線を基準にして前記第１前面開口（３５）の方向の反対方向に沿って延び且つ前記縦方向軸線（Ｘ１）及び前記前面開口方向（Ｙ１）により規定される平面に属する前面開口を備えておらず、且つ、前記平面切り口において、
前記ボア重心（５０ｘ）及び前記壁重心（１ｘ）は互いに異なり且つ距離ｄ≠０だけ離れており、
前記ボア重心（５０ｘ）から前記壁外周部（１Ｐ）へ前記第１横方向軸線（Ｙ）に沿って延びる線分は、前記壁重心（１Ｘ）から前記第１横方向軸線（Ｙ）と前記壁外周部（１Ｐ）との交点へ延びる線分の長さ（Ｌ２）よりも長い長さ（Ｌ１）を有することを特徴とする、
浸漬ノズル。
【請求項２】
前記ボア（５０）、及び、前記長尺部（１Ｂ）を規定する前記外周壁は、前記長尺部（１Ｂ）の略全長にわたって前記第１縦方向軸線（Ｘ１）に関して同心である、請求項１に記載の浸漬ノズル（１）。
【請求項３】
前記ボア（５０）は、当該ボア（５０）の略全長にわたって前記第１縦方向軸線（Ｘ１）を中心とし、
且つ、少なくとも前記第１前面開口（３５）の高さにおいて、前記出湯口部（１Ｃ）を規定する前記外周壁は、前記第１横方向軸線（Ｙ）の方向において反対方向と比較して広くなる、請求項１又は２に記載の浸漬ノズル。
【請求項４】
前記ボア（５０）の前記幾何学的構成の前記変化は、少なくとも前記第１横方向軸線（Ｙ）の前記方向に沿って細くなることを含む、請求項１から３の何れか一項に記載の浸漬ノズル。
【請求項５】
前記出湯口部（１Ｃ）は、前記ノズルの前記第２端において開口する先端出湯口（３７）を更に備えており、前記先端出湯口が、好適には前記縦方向軸線（Ｘ１）に対して平行に延びる、請求項１から４の何れか一項に記載の浸漬ノズル。
【請求項６】
前記出湯口部（１Ｃ）は、前記ボア（５０）から前記出湯口部（１Ｃ）の前記周壁へ、前記縦方向軸線（Ｘ１）及び前記前面開口方向（Ｙ１）により規定される平面を横切るように延びる少なくとも一つの二次前面開口（３９ａ、３９ｂ）を更に備える、請求項１から５の何れか一項に記載の浸漬ノズル。
【請求項７】
前記前面開口は、前記前面開口出口（３５ｏ）の重心が前記前面開口入口（３５ｉ）の重心よりも前記ノズルの前記第２端に近くなるように、前記第２縦方向軸線（Ｘ２）と９０度未満の角度をなす前記前面開口方向（Ｙ１）に沿って延びる、請求項１から６の何れか一項に記載の浸漬ノズル。
【請求項８】
前記第１縦方向軸線（Ｘ１）と前記第２縦方向軸線（Ｘ２）とは同軸である、請求項７に記載の浸漬ノズル。
【請求項９】
前記出湯口部（１Ｃ）は、前記第１縦方向軸線（Ｘ１）を基準にして前記第１前面開口（３５）と同じ側で、前記第１縦方向軸線（Ｘ１）及び前記第１横方向軸線（Ｙ）により規定される半平面に含まれる軸線に沿って延びる第２前面開口（３６）を更に備える、請求項１から８の何れか一項に記載の浸漬ノズル。
【請求項１０】
前記ボア重心（５０ｘ）は前記第１横方向軸線（Ｙ）上に存在する、請求項１から９の何れか一項に記載の浸漬ノズル。
【請求項１１】
比率Ｌ１／Ｌ２は、少なくとも１．０５に等しく、好適には少なくとも１．１に等しく、より好適には少なくとも１．２５に等しい、請求項１から１０の何れか一項に記載の浸漬ノズル。
【請求項１２】
金属梁を鋳造するための鋳造設備であって、
前記鋳造設備は、
（ｃ）第１縦方向軸線（Ｘ１）に対して平行に延びる少なくとも一つの浸漬ノズル（１）が容器底部に連結された冶金容器（１０、１１）を備えており、
前記ノズルは、
前記ノズルの第１端に配置され且つ注湯口オリフィス（１８）を備える注湯口部（１Ａ）、
外壁により規定され且つ前記注湯口部（１Ａ）から第１縦方向軸線（Ｘ１）に沿って延びる、又は、前記注湯口部（１Ａ）に隣接する長尺部（１Ｂ）、及び、
前記第１端の反対側にある前記ノズルの第２端に隣接して配置され且つ前記第２端を含んでおり、外周壁により規定され且つ前記外周壁上に開口する第１出湯口前面開口（３５）を備える前記出湯口部（１Ｃ）と、
前記第１縦方向軸線（Ｘ１）に対して平行に延び、前記注湯口オリフィス（１８）において開口し且つ前記ノズルの前記長尺部（１Ｂ）に沿って延びるボア（５０）であって、前記ボア（５０）を接合する前面開口入口（３５ｉ）から前記ノズルの前記出湯口部の前記外周壁において開口する前面開口出口（３５ｏ）へ前記第１縦方向軸線（Ｘ１）を横切る前面開口方向（Ｙ１）に沿って延びる前記第１前面開口（３５）を少なくとも介して、前記ノズルの前記出湯口部（１Ｃ）の少なくとも一部から雰囲気に開放されるボア（５０）と、を備え、
前記前面開口入口（３５ｉ）を通る前記第１縦方向軸線（Ｘ１）に対して垂直な平面に沿った前記ノズル出湯口部（１Ｃ）の平面切り口は、
ボア外周部（５０Ｐ）及び前記ボア外周部により規定される領域のボア重心（５０ｘ）により規定される前記ボア（５０）の輪郭と、
壁外周部（１Ｐ）及び前記壁外周部により規定される領域の壁重心（１ｘ）により規定される前記ノズルの前記出湯口部の前記外周壁の輪郭と、
前記ボア重心（５０ｘ）を通過し且つ前記切り口の平面上への前記前面開口方向（Ｙ１）の正射影に対して平行な方向に沿って延びる第１横方向軸線（Ｙ）と、を含んでおり、
該鋳造設備は、
（ｄ）第１鋳型方向に沿って延びる少なくとも第１長尺部及び前記第１鋳型方向を横切る第２鋳型方向に沿って延びる少なくとも第２長尺部に分割された断面を規定するビームブランク鋳型（１００）を更に備え、
前記ノズルは、前記縦方向軸線を基準にして前記第１前面開口（３５）の方向の反対方向に沿って延び且つ前記縦方向軸線（Ｘ１）及び前記前面開口方向（Ｙ１）により規定される平面に属する前面開口を備えておらず、前記平面切り口において、
前記ボア重心（５０ｘ）及び前記壁重心（１ｘ）は互いに異なり且つ距離ｄ≠０だけ離れており、
前記ボア重心（５０ｘ）から前記壁外周部（１Ｐ）へ前記第１横方向軸線（Ｙ）に沿って延びる線分が、前記壁重心（１Ｘ）から前記第１横方向軸線（Ｙ）と前記壁外周部（１Ｐ）との交点へ延びる線分の長さＬ２よりも長い長さＬ１を有し、且つ、
前記第１鋳型方向は、前記第１縦方向軸線（Ｘ１）と前記前面開口方向（Ｙ１）とを含む平面に含まれることを特徴とする、
鋳造設備。
【請求項１３】
前記半製品梁鋼鋳型（１００）は、Ｔ字状断面、Ｌ字状断面、Ｘ字状断面、Ｃ字状断面又はＨ字状断面を有する、請求項１２に記載の鋳造設備。
【請求項１４】
前記半製品梁鋼鋳型は、前記第１長尺部により規定されるＨ形状のウェブと、前記第１長尺部に対して共に垂直である前記第２長尺部及び第３長尺部により規定される二つの側方フランジとを有するＨ字状断面を有し、且つ、前記浸漬ノズルは、前記Ｈ形鋼断面の前記ウェブとフランジとが交差する領域に配置される、請求項１２に記載の鋳造設備。
【請求項１５】
単一の浸漬ノズル（１）は各半製品梁鋼鋳型（１００）と併用され、且つ、前記ノズルは前記第１長尺部と前記第２長尺部とが交差する領域に配置される、請求項１２から１４の何れか一項に記載の鋳造設備。